(57)【要約】【課題】用紙若しくは用紙束を折る際に形成される撓みを抑制し、折り品質の向上を図る。【解決手段】用紙Ｐが搬送されてくる一対の搬送路ガイド板９０と、用紙Ｐ若しくは用紙束を中折りする紙折り板７２と、搬送路ガイド板９０間に位置する用紙Ｐの面に先端を突き当てて用紙Ｐ若しくは用紙束を、紙折り板７２を含む折り搬送路７５に送り込む板状の折りブレードと、を有する用紙後処理装置ＦＲであって、前記一対の搬送路ガイド板９０間の間隔を変更する間隔変更手段を備えたので、用紙Ｐ若しくは用紙束を折る際に搬送路間の間隔を狭くし（Ｓ１０９）、スタック、整合時には広げる（Ｓ１０２）ようにした。【選択図】図４
2013234018.tif 000002
【特許請求の範囲】
【請求項１】
用紙が搬送されてくる一対の搬送路ガイド板と、
前記用紙若しくは用紙束を中折りする中折り手段と、
前記搬送路ガイド板間に位置する用紙の面に先端を突き当てて前記中折り手段側に送り込む板状の突き当て手段と、
を有する用紙処理装置であって、
前記一対の搬送路ガイド板間の間隔を変更する間隔変更手段を備えたこと
を特徴とする用紙処理装置。
【請求項２】
請求項１に記載の用紙処理装置であって、
前記間隔変更手段は、前記搬送路ガイド板の間隔を用紙のスタック、整合時には広げ、中折り手段側へ送り込む際には狭めること
を特徴とする用紙処理装置。
【請求項３】
請求項１又は２に記載の用紙処理装置であって、
前記間隔変更手段は、用紙の紙種、紙厚、枚数及びサイズの少なくとも１つの要素の変化に応じて前記間隔の変更量を設定すること
を特徴とする用紙処理装置。
【請求項４】
請求項１ないし３のいずれか１項に記載の用紙処理装置であって、
前記間隔変更手段は、外部環境の変化に応じて前記間隔の変更量を設定すること
を特徴とする用紙処理装置。
【請求項５】
請求項１ないし４のいずれか１項に記載の用紙処理装置を備えていることを特徴とする画像形成システム。
【発明の詳細な説明】
【技術分野】
【０００１】
本発明は、用紙処理装置及び画像形成システムに係り、特に搬入されてきた用紙、転写紙、印刷紙、ＯＨＰシートなどのシート状記録媒体（本明細書及び特許請求の範囲では、「用紙」と称す）に対して所定の処理を施す用紙処理装置、及びこの用紙処理装置と複写機、プリンタ、ファクシミリ、デジタル複合機などの画像形成装置を備えた画像形成システムに関する。
【背景技術】
【０００２】
画像形成装置等に併設され、当該装置から排出された転写紙に対して仕分け、スタック、パンチ、ステープル等の後処理を施す用紙処理装置、所謂フィニッシャと称される装置が知られている。オフィス向けの中低速機では、近年経費削減の観点から中綴じ中折り処理の需要が高まってきている。このような中綴じ中折り機能を搭載したフィニッシャとしては、例えば特開２００４−８３１８４号公報（特許文献１）に記載された技術が公知である。
【０００３】
この公知技術は、折りローラによる折り位置と綴じ位置を精度よく一致させることができるとともに、強い折りぐせを施すことができるようにしたもので、折りプレートを用紙あるいは用紙束の用紙面に対してほぼ垂直な方向から当接させて折りローラ対のニップに押し込んで用紙を折る用紙折り装置において、折り動作を行わないときには、前記折りプレートの移動軌跡上若しくは移動軌跡の延長線上に前記折りローラ対のニップが位置するように支持し、折り動作を行うときには、前記折りプレートの移動軌跡若しくは移動軌跡の延長線に関してほぼ対称に移動可能に前記折りローラ対を支持する支持手段を備えたことを特徴としている。
【発明の概要】
【発明が解決しようとする課題】
【０００４】
しかし、前記公知技術では、用紙束を折りブレードで押し込む際、あるいは折り位置へ用紙束を持ち上げる際に用紙束に撓みが形成される場合があり得る。もし、撓みが形成されると、この撓みの影響を受けて用紙束を折りローラ対に押し込む際に用紙束がばらけて折られ、あるいは折り位置がずれることも考えられる。用紙１枚の場合も折り位置がずれることがあり得る。このように用紙束がばらけて折られたり、折り位置がずれることは、折り品質の低下に繋がる。
【０００５】
そこで、本発明が解決しようとする課題は、用紙若しくは用紙束を折る際に形成される撓みを抑制し、折り品質の向上を図ることにある。
【課題を解決するための手段】
【０００６】
前記課題を解決するため、本発明は、用紙が搬送されてくる一対の搬送路ガイド板と、前記用紙若しくは用紙束を中折りする中折り手段と、前記搬送路ガイド板間に位置する用紙の面に先端を突き当てて前記中折り手段側に送り込む板状の突き当て手段と、を有する用紙処理装置であって、前記一対の搬送路ガイド板間の間隔を変更する間隔変更手段を備えたことを特徴とする。
【発明の効果】
【０００７】
本発明によれば、用紙束を折る際に形成される撓みを抑制し、折り品質の向上を図ることができる。
【図面の簡単な説明】
【０００８】
【図１】本発明の実施形態に係る画像形成システムの概略構成を示す図である。
【図２】図１における中折り処理部の詳細を示す図である。
【図３】用紙後処理装置と画像形成装置からなる画像形成システムの制御構成を示すブロック図である。
【図４】本発明の実施形態における中折り処理の処理手順を示すフローチャートである。
【発明を実施するための形態】
【０００９】
本発明は、中折り時に中折り手段側に用紙束を押し込む際に、用紙束を搬送する搬送路ガイド板の間隔を狭めることを特徴とする。
【００１０】
以下、図面を参照し、本発明の実施形態について説明する。なお、前記以外の課題、構成及び効果は、以下の実施形態の説明によって明らかになる。
【００１１】
図１は本発明の実施形態に係る画像形成システムの概略構成を示す図である。本実施形態に係る画像形成システムは用紙に画像を形成する画像形成装置ＰＲと、この画像形成装置ＰＲの後段に連結され、画像形成済みの用紙に対して予め設定された用紙処理を実行する用紙後処理装置ＦＲとから構成されている。
【００１２】
画像形成装置ＰＲは例えば前述のような電子写真方式の作像エンジンを有し、電子写真方式で画像を形成し、後段の用紙後処理装置ＦＲに搬送する。画像形成装置ＰＲはこの他にインクジェット記録方式などの公知の作像エンジンを備えたものでもよい。
【００１３】
用紙後処理装置ＦＲは、画像形成装置ＰＲから排出されてきた画像形成済みの用紙Ｐを受け入れる導入経路１と、導入経路１から分岐する３つの経路、すなわちプルーフトレイ６へ向かう上搬送経路２、シフト処理や端綴じ処理を行うストレート搬送経路３及び中綴じ・折り処理を行う下搬送経路４とを有する。
【００１４】
導入経路１には入口ローラ１０、入口センサ１３が配置されている。入口センサ１３は用紙Ｐが用紙後処理装置ＦＲ内へ搬入されたことを検知する。入口ローラ１０の下流には用紙穿孔ユニット１９が配置され、画像形成装置ＰＲのＣＰＵの指示に基づいて用紙Ｐに穿孔する。用紙穿孔ユニット１９の下流には、第１の搬送ローラ１１が配置され、これを経て上搬送経路２へと用紙Ｐは搬送される。導入経路１の終端部の分岐部に位置する分岐爪７，８は切り替え動作により上搬送経路２、ストレート搬送経路３、下搬送経路４へ用紙の搬送方向を仕分ける。
【００１５】
ストレート搬送経路３には第２の搬送ローラ１２が配置され、このローラ１２によりステープルトレイ２１及び排紙トレイ５へと用紙Ｐは搬送される。ストレート搬送経路３には図示しない駆動モータ及び駆動機構によって正逆方向に駆動される排紙ローラ２６、排紙センサ２８が配置され、ソートモード時は、シフト機構を有する第２の搬送ローラ１２が図示しない駆動モータ及び駆動機構により、搬送中に搬送方向と直角方向に一定量移動することによって用紙Ｐは一定量シフトし、排紙ローラ２６により排紙トレイ５に排紙され順次スタックされていく。
【００１６】
排紙トレイ５への排出口部は、排紙ローラ２６と排紙従動ローラ２７とによって用紙Ｐ又は用紙束を挟持して排出する対構造となっている。これは、排紙ローラ２６に対する排紙従動ローラ２７を備えた排出ガイドの接離動作で、用紙Ｐ又は用紙束を挟持して排出可能な閉状態と挟持しない開状態とを選択的に取り得るようになっており、用紙Ｐのシフト動作が完了した後、用紙Ｐを挟持して排紙する。
【００１７】
排紙口上方付近には、フィラー４０が設けられており、スタックされた用紙Ｐの中央付近位置の上面に先端が接触するように基端側で揺動自在に支持されている。フィラー４０の根元付近には、フィラー４０の先端の高さ位置を検知する図示しない上面検知センサが設けられ、これらによりスタック用紙Ｐの紙面高さを検知している。排紙トレイ５上の堆積枚数の増大により用紙の高さが上昇するに従って、上面検知センサがオンすると、後述の図３に示す用紙後処理装置ＦＲの制御回路のＣＰＵ＿ＦＲ１は排紙トレイ５を上下動させる図示しない駆動モータを駆動制御して排紙トレイ５を下降させる。排紙トレイ５が下降し上面検知センサがオフすると、下降を停止させる。この動作を繰り返し、排紙トレイ５が規定のトレイ満杯高さまで達すると、用紙後処理装置ＦＲのＣＰＵ＿ＦＲ１から画像形成装置ＰＲのＣＰＵに停止信号を出し、画像形成装置ＰＲの画像形成動作を停止させるとともに、システム全体の動作も停止させる。
【００１８】
ストレート搬送経路３の最下流側にはステープルトレイ２１が設けられている。ステープルトレイ２１の終端位置には用紙後端に沿って用紙搬送方向と直交する方向（用紙幅方向）に移動し、綴じ処理を行うステープラ５０が配置されている。ステープルトレイ２１の上面には、用紙搬送方向と直交する方向に近接離間動作し、用紙幅方向を整合するジョガーフェンス２２，２３が設けられている。ステープルトレイ２１の最下流側の端部には用紙の後揃えの基準となる基準フェンス２４，２５が配置されている。また、ステープルトレイ２１の上部には、振り子運動を行って用紙に接触して用紙Ｐを移動させ、用紙後端を基準フェンス２４，２５に突き当てることによって用紙の搬送方向を整合する戻しコロ４１が設けられている。
【００１９】
このように構成された用紙後処理装置ＦＲでは、搬送経路２に搬送されてきた用紙はステープルトレイ２１上に排出され、ジョガーフェンス２２，２３によって用紙の幅方向の位置が揃えられる。また、戻しコロ４１によって基準フェンス２４，２５に用紙後端を突き当て、用紙束の縦方向位置が揃えられる。このようにして揃えられた用紙束は、端綴じモード時はステープラ５０が用紙幅方向に移動して用紙束の下縁部の予め設定された位置をステープルすることにより綴じられ、排紙ローラ２６，２７が用紙束をニップして搬送力を付与し、排紙トレイ５上に排紙する。
【００２０】
下搬送経路４には第１ないし第３の下搬送ローラ６１，６２，６３、中綴じステープラ５１、紙折りブレート７１、紙折りストッパ６４、紙折り板７２、及び排紙ローラ７３が設けられている。用紙束は中綴じ位置まで搬送され、用紙束の中央で綴じ処理される。そして、第２及び第３の下搬送ローラ６２，６３により中折り部１００の紙折りストッパ６４に搬送され、紙折りブレード７１、紙折り板７２により中折りされ、排紙ローラ７３によって中綴じトレイ９に放出される。図２は中折り処理部の詳細を示す図であり、図１における綴じ処理部は省略している。
【００２１】
さらに詳しくは、下搬送経路４への用紙Ｐの搬送はストレート搬送経路３を通過し、用紙先端をセンサ３３で検知し、用紙後端が下搬送経路（中綴じ搬送経路）４の分岐部を通過する時間を待って、分岐爪８が切り替わる。このとき、用紙Ｐは後端が分岐爪８を通過した時点で一旦停止している。分岐爪８が切り替わると、第２の搬送ローラ１２が逆回転し、用紙Ｐをスイッチバックさせて下搬送経路４へと搬送する。下搬送経路４に搬送された用紙Ｐは、一対の用紙ガイド板からなる搬送路ガイド板９０及び紙折りストッパ６４によって構成された中間トレイに一時的にスタックされる。スタックされた用紙Ｐは、ジョガー９３，９４によって搬送方向と直交する方向の整合が行われ、また、叩きコロ９５によって用紙Ｐを後端フェンス６４に突き当てることにより、搬送方向の整合が行われる。
【００２２】
整合処理の完了後、中綴じステープル５１によって中綴じ処理を実施後、中折り位置まで後端フェンス６４で用紙束を持ち上げ、その後、紙折りブレード７１を用紙表面の中折り位置に押し当てて折り搬送路７５へ送り込む。これにより紙折り板７２によって折り込まれ、排紙される。なお、紙折り板７２を使用した中折り処理部の構成については例えば、特開２０１２−７６９２６号公報、特開２０１２−５６６４９号公報などに記載されているように公知の技術であるので、詳細な構成及び動作についての説明は省略する。なお、中綴じ、中折り処理部の構成は、例示であり、本実施形態の構成に限定されるものではなく、中綴じ処理する際に用紙Ｐ及び用紙束を整合し、中綴じを実行し、中折り処理位置に用紙束を移動させ、中折り処理を実行できる構成であればよい。
【００２３】
下搬送経路４を形成する搬送路ガイド板９０は、対となる内側用紙ガイド板９２と外側用紙ガイド板９１とからなり、内側用紙ガイド板９２は図示しない駆動モータと駆動力伝達機構により搬送路の長手方向に対して垂直方向（図示矢印Ｄ１方向）に進退可能な構成となっている。駆動モータとしては、例えばステッピングモータが使用され、図示しないガイドに沿って内側用紙ガイド板９２が外側用紙ガイド板９１に対して互いの搬送面が平行な状態で移動する。
【００２４】
用紙Ｐを中間トレイに一時スタックし、整合動作をする際は、中間トレイの役目をなしている搬送路ガイド板９０の間隔Ｄ２を８ｍｍに設定し、用紙Ｐの受け入れ時のスペースと整合時に抑制された用紙Ｐもしくは用紙束の逃げ場を確保する。一方、紙折り板７２を備えた折り搬送路７５へ用紙束を送り込む際には、内側用紙ガイド板９２を移動させて搬送路ガイド板９０の内外の用紙ガイド板９２，９１の間隔Ｄ２を４ｍｍに設定する。これにより、用紙束を後端フェンス６４によって中折り位置へ搬送する際の用紙束の逃げ場を規制することが可能となり、用紙束のスキュー及び用紙束を紙折りブレード７１によって紙折り板７２の間に押し込む際に発生する撓みを抑制することができる。
【００２５】
図３は用紙後処理装置ＦＲと画像形成装置ＰＲからなる画像形成システムの制御構成を示すブロック図である。用紙後処理装置ＦＲはＣＰＵ＿ＦＲ１、Ｉ／ＯインターフェイスＦＲ２等を有するマイクロコンピュータを搭載した制御回路を備え、ＣＰＵ＿ＦＲ１には、画像形成装置ＰＲのＣＰＵあるいは操作パネルＰＲ１の各スイッチ等、及び図示しない各センサからの信号が通信インターフェイスＰＲ２を介して入力され、ＣＰＵ＿ＦＲ１は入力された信号に基づいて所定の制御を実行する。さらに、ＣＰＵ＿ＦＲ１は、ドライバ、モータドライバを介してソレノイド及びモータを駆動制御し、インターフェイスから装置内のセンサ情報を取得する。また、制御対象やセンサに応じてＩ／０インターフェイスＦＲ２を介してモータドライバによってモータの駆動制御を行い、センサからセンサ情報を取得する。なお、前記制御は、図示しないＲＯＭに格納されたプログラムコードをＣＰＵ＿ＦＲ１が読み込んで図示しないＲＡＭに展開し、当該ＲＡＭをワークエリア及びデータバッファとして使用しながら前記プログラムコードで定義されたプログラムに基づいて実行される。また、制御に使用するデータを記憶する不揮発性のメモリも備えている。
【００２６】
また、図３における用紙後処理装置ＦＲの制御は画像形成装置ＰＲのＣＰＵからの指示若しくは情報に基づいて実行される。ユーザの操作指示は画像形成装置ＰＲの操作パネルＰＲ１から行われる。これにより、画像形成装置ＰＲからは用紙後処理装置ＦＲへ操作パネルＰＲ１からの操作信号が送信され、また、用紙後処理装置ＦＲの処理状態や機能が操作パネルＰＲ１を介してユーザに通知される。
【００２７】
図４は本発明の実施形態における中折り処理の処理手順を示すフローチャートである。この中折り処理は用紙後処理装置ＦＲのＣＰＵ＿ＦＲ１によって実行される。
【００２８】
図４に示した処理手順は、本発明の要旨である搬送路ガイド板９０間の間隔Ｄ２の制御に関するものである。この処理手順では、まず、画像形成装置ＰＲから処理モードが中綴じモードであること、及び用紙Ｐのサイズを受信すると（ステップＳ１０１）、下搬送経路（中綴じ搬送経路）４の搬送路ガイド板９０間を８ｍｍに設定する（ステップＳ１０２）。この設定は、初期状態で８ｍｍであれば、そのまま、８ｍｍでなければ内側用紙ガイド板９２を移動させて８ｍｍに設定する。
【００２９】
搬送路ガイド板９０の間隔Ｄ２が８ｍｍの状態で、用紙Ｐを中間トレイに受け入れ、中間トレイへの受け入れが完了すると（ステップＳ１０３：ＹＥＳ）、叩きコロ９５によって用紙搬送方向を、ジョガー９３，９４によって用紙搬送方向と直交する方向をそれぞれ整合する（ステップＳ１０４）。この動作を用紙Ｐの受け入れ毎に実施し（ステップＳ１０３〜Ｓ１０５）、１部若しくは１ジョブの用紙Ｐの受け入れが完了するまで繰り返す（ステップＳ１０５：ＮＯ）。そして、前記用紙Ｐの受け入れが完了すると（ステップＳ１０５：ＹＥＳ）、用紙束をジョガー９３，９４によって整合する（ステップＳ１０６）。
【００３０】
次いで、ステップＳ１０１における中綴じ指示を受信しているか否かを確認し（ステップＳ１０７）、中綴じ指示を受信していれば（中綴じモード）であれば（ステップＳ１０７：ＹＥＳ）、中綴じステープラ５１によって中綴じ処理を実行する（ステップＳ１０８）。中折り指示を受信していれば綴じ処理（ステップＳ１０８）をスキップしてステップＳ１０９の処理に移行する。中綴じ処理では、後端フェンス６４は図示しない駆動機構により中綴じが行われる位置に移動して用紙Ｐの端面を整合するので、ステップＳ１０６で整合が完了した時点で中綴じステープラ５１によって綴じ処理が行われる。
【００３１】
中綴じ処理が完了すると、搬送路ガイド板９０の間隔Ｄ２を４ｍｍに変更し（ステップＳ１０９）、紙折りブレード７１の当接位置が用紙Ｐの搬送（長手）方向中央部となる位置まで後端フェンス６４を移動させる。すなわち、後端フェンス６４によって用紙束を前記位置まで持ち上げる（ステップＳ１１０）。次いで、紙折りブレード７１を進出させ、用紙束の折り部表面に紙折りブレード７１の先端を押し当てて、そのまま用紙束を折り搬送路７５に送り込む。用紙束は折り搬送路７５内に搬送される間に紙折り板７２と紙折りブレード７１によって中折りされる。
【００３２】
ステップＳ１０７でＮＯと判定された中折りのみのモードの場合は中綴じステープラ５１の中折り処理が実行されないだけで他の処理は同じである。
【００３３】
なお、搬送路ガイド板９０間の間隔Ｄ２は、本実施形態では設計検証により得られた最適値を固定値として扱っているが、紙種、紙厚、用紙サイズ、使用環境等の因子のバラツキに応じて適宜変更することにより汎用性が増し、さらなる折り品質の向上を図ることができる。この変更値は予め実験室で実験的に前記各要素及び各要素の変化に対応した最適な間隔Ｄ２を求め、例えばメモリテーブルにして後述の用紙後処理装置ＦＲの制御回路の不揮発メモリなどに記憶させておく。そして、間隔変更制御を行うときに、前記各要素の変化の状態に応じて最適な間隔Ｄ２をメモリテーブル参照して読み出し、その読み出した間隔Ｄ２に設定する。
【００３４】
また、本実施形態では、用紙後処理装置ＦＲのＣＰＵ＿ＦＲ１によって搬送路ガイド板９０間の間隔Ｄ２の制御（内側用紙ガイド板９２の移動制御）、紙折りストッパ６４の移動制御、ジョガー９３，９４の動作制御、その他の用紙処理に関する制御を実行しているが、画像形成システムとして構成したときに、画像形成装置ＰＲのＣＰＵによって制御するように構成することもできる。
【００３５】
以上のように本実施形態によれば、下記に示すような効果を奏する。  
１）用紙Ｐが搬送されてくる一対の搬送路ガイド板９０と、用紙Ｐ若しくは用紙束を中折りする紙折り板７２と、搬送路ガイド板９０間に位置する用紙Ｐの面に先端を突き当てて用紙Ｐ若しくは用紙束を、紙折り板７２を含む折り搬送路７５に送り込む板状の紙折りブレードと、を有する用紙後処理装置ＦＲにおいて、前記一対の搬送路ガイド板９０間の間隔Ｄ２を変更する間隔変更手段を備えたので、用紙Ｐ若しくは用紙束を折る際に搬送路間の間隔Ｄ２を狭くして用紙若しくは用紙束を折る際に形成される撓みを抑制することができる。その結果、折り品質の向上を図ることが可能となる。
【００３６】
２）間隔変更手段は、搬送路ガイド板９０の間隔Ｄ２を用紙Ｐのスタック、整合時には広げ、紙折り板７２を含む折り搬送路７５側へ送り込む際には狭めるので、用紙若しくは用紙束を折る際に形成される撓みを確実に抑制することができる。
【００３７】
３）間隔変更手段は、用紙の紙種、紙厚、枚数及びサイズの少なくとも１つの要素の変化に応じて前記間隔Ｄ２の変更量を設定するので、折り対象の用紙Ｐ若しくは用紙束Ｐの状態に応じて適切な間隔Ｄ２に設定することができ、用紙若しくは用紙束を折る際に形成される撓みを確実に抑制することが可能となる。
【００３８】
４）間隔変更手段は、外部環境の変化に応じて前記間隔Ｄ２の変更量を設定するので、湿度や気温の変化に対応して適切な間隔Ｄ２に設定することができ、用紙若しくは用紙束を折る際に形成される撓みを確実に抑制することが可能となる。
【００３９】
５）前記３）あるいは４）のように前記間隔Ｄ２の変更量を設定するので、使用条件の影響を極力排除して折り処理を行うことが可能となり、折り品質の向上を図ることができる。
【００４０】
なお、特許請求の範囲における用紙は本実施形態では符号Ｐに、一対の搬送路ガイド板は外側用紙ガイド板９１と内側用紙ガイド板９２とからなる搬送路ガイド板９０に、中折り手段は紙折り板７２に、突き当て手段は紙折りブレード７１に、間隔は符号Ｄ２に、用紙処理装置は用紙後処理装置（フィニッシャ）ＦＲに、間隔変更手段は図示しない駆動モータ及び駆動力伝達手段及び用紙後処理装置ＦＲのＣＰＵ＿ＦＲ１に、画像形成システムは用紙後処理装置ＦＲ及び画像形成装置ＰＲを含むシステムに、それぞれ対応する。
【００４１】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００４２】
７１  紙折りブレード
７２  紙折り板
９０  搬送路ガイド板
９１  外側用紙ガイド板
９２  内側用紙ガイド板
Ｄ２  間隔
ＦＲ  用紙後処理装置（用紙処理装置）
ＦＲ１  用紙後処理装置のＣＰＵ
Ｐ  用紙
ＰＲ  画像形成装置
【先行技術文献】
【特許文献】
【００４３】
【特許文献１】特開２００４−８３１８４号公報
【図１】
2013234018.tif 000003
【図３】
2013234018.tif 000004
【図４】
2013234018.tif 000005
【図２】
2013234018.tif 000006